(57)【要約】【課題】温水供給管内にヒーターとの伝熱面積を極大化させた熱交換部を形成することで、より迅速に温水を供給する温水加熱装置を提供する。また、温水供給管に生成された温水を取水することで、異物質の沈殿を防止して衛生性を向上させると共に、維持補修が容易な温水加熱装置を提供する。さらに、ヒーターとの伝熱面積を極大化させた熱交換部によって温水を生成することで、補助熱源をさらに設置する必要がない温水加熱装置を提供する。【解決手段】胴体を形成するケースと、前記ケースの内部に設けられる熱交換部を有する温水供給管と、前記ケースの内部に収容される蓄熱液と、前記ケースの内部に設けられ、前記蓄熱液を加熱するヒーターとを含めて構成されることを特徴とする。【選択図】      図２
2004309107.tif 000002
【特許請求の範囲】
【請求項１】
胴体を形成するケースと、
前記ケースの内部に設けられる熱交換部を有する温水供給管と、
前記ケースの内部に収容される蓄熱液と、
前記ケースの内部に設けられ、前記蓄熱液を加熱するヒーターとを含めて構成されることを特徴とする温水加熱装置。
【請求項２】
前記熱交換部は熱伝達面積を極大化させた形状であることを特徴とする請求項１記載の温水加熱装置。
【請求項３】
前記熱交換部はコイル状であることを特徴とする請求項２記載の温水加熱装置。
【請求項４】
前記熱交換部のコイル形状は螺旋形であることを特徴とする請求項３記載の温水加熱装置。
【請求項５】
前記熱交換部はコイル状の各ターンの間が離隔するように形成されることを特徴とする請求項４記載の温水加熱装置。
【請求項６】
前記蓄熱液は比熱の高い物質であることを特徴とする請求項１記載の温水加熱装置。
【請求項７】
前記蓄熱液は水、又はパラフィンであることを特徴とする請求項６記載の温水加熱装置。
【請求項８】
前記ケースは中の空いた円筒状であることを特徴とする請求項１記載の温水加熱装置。
【請求項９】
前記ケースは腐食防止及び、耐熱性の向上のためにその内部面がセラミックコーティングされ、外部への熱放出を防止するために、その外部面がガラス繊維、又は合成樹脂などの断熱素材で被覆されることを特徴とする請求項８記載の温水加熱装置。
【請求項１０】
前記温水供給管は腐食防止、及びヒーターからの熱伝導度を高めるために銅管、又はステンレス管で形成されることを特徴とする請求項１記載の温水加熱装置。
【請求項１１】
前記ヒーターは前記ケースの内部に設けられ、前記熱交換部の長さ方向に設けられることを特徴とする請求項１記載の温水加熱装置。
【請求項１２】
前記ヒーターは前記ケースの中心軸と前記熱交換部との間に形成される空間部に設けられることを特徴とする請求項１１記載の温水加熱装置。
【請求項１３】
前記ヒーターはシーズ式ヒーターであることを特徴とする請求項１２記載の温水加熱装置。
【請求項１４】
前記ケースの内部に設けられ、前記蓄熱液の温度を感知する温度感知センサーと、該温度感知センサーで検出された温度にしたがってヒーターのオン／オフを制御するマイコンとをさらに含めて構成されることを特徴とする請求項１記載の温水加熱装置。
【請求項１５】
外形を形成する本体と、
外部の水道管と連結されるように前記本体の内部に設けられる吸水管と、
前記吸水管から分岐し、その一部に熱交換部を有する温水供給管と、
前記吸水管から分岐した冷水供給管と、
前記温水供給管の熱交換部を囲むように設けられるケースと、
前記ケースの内部に収容される蓄熱液と、
前記ケースの内部に設けられ、前記蓄熱液を加熱するヒーターとを含めて構成されることを特徴とする冷蔵庫。
【請求項１６】
前記熱交換部は熱伝達面積を極大化させた形状であることを特徴とする請求項１記載の温水加熱装置。
【請求項１７】
前記熱交換部はコイル状であることを特徴とする請求項１６記載の冷蔵庫。
【請求項１８】
前記熱交換部のコイル形状は螺旋形であることを特徴とする請求項１７記載の冷蔵庫。
【請求項１９】
前記熱交換部はコイル状の各ターンの間が離隔するように形成されることを特徴とする請求項１８記載の冷蔵庫。
【請求項２０】
前記蓄熱液は比熱の高い物質であることを特徴とする請求項１５記載の冷蔵庫。
【請求項２１】
前記蓄熱液は水、又はパラフィンであることを特徴とする請求項２０記載の冷蔵庫。
【請求項２２】
前記ケースは中の空いた円筒状であることを特徴とする請求項１５記載の冷蔵庫。
【請求項２３】
前記ケースは腐食防止及び、耐熱性の向上のためにその内部面がセラミックコーティングされ、外部への熱放出を防止するために、その外部面がガラス繊維、又は合成樹脂などの断熱素材で被覆されることを特徴とする請求項２２記載の冷蔵庫。
【請求項２４】
前記温水供給管は腐食防止、及びヒーターからの熱伝導度を高めるために銅管、又はステンレス管で形成されることを特徴とする請求項１５記載の冷蔵庫。
【請求項２５】
前記ヒーターは前記ケースの内部に設けられ、前記熱交換部の長さ方向に設けられることを特徴とする請求項１５記載の冷蔵庫。
【請求項２６】
前記ヒーターは前記ケースの中心軸と前記熱交換部との間に形成される空間部に設けられることを特徴とする請求項２５記載の冷蔵庫。
【請求項２７】
前記ヒーターはシーズ式ヒーターであることを特徴とする請求項２６記載の冷蔵庫。
【請求項２８】
前記ケースの内部に設けられ、前記蓄熱液の温度を感知する温度感知センサーと、該温度感知センサーから検出された温度にしたがってヒーターのオン／オフを制御するマイコンとをさらに含めて構成されることを特徴とする請求項１５記載の冷蔵庫。
【発明の詳細な説明】
【０００１】
【発明の属する技術分野】
本発明は温水加熱装置に関し、特に、温水供給管に熱伝達面積を極大化させた熱交換部を形成した温水加熱装置、及びこれを備えた冷蔵庫に関する。
【０００２】
【従来の技術】
従来技術による冷蔵庫において温水を取水するために温水を生成する方法としては、韓国実用公開番号第１１９０７２号（１９９８．０３．１２）に開示されているように、外部から給水される飲み水を凝縮器で放熱される熱で加熱して温水貯蔵タンクに貯蔵した後、必要時に取水した。
その他の温水生成方法として、韓国特許公開番号第１９９９８０号（１９９９．０３．０８）に開示されているように、給水管の外側に加熱ヒーターを設置し、加熱ヒーターで飲み水を加熱して温水貯蔵タンクに貯蔵いた後、必要時に取水するような方法を使用した。
【０００３】
【発明が解決しようとする課題】
しかしながら、上記のような従来技術による冷蔵庫においては、共通に温水貯蔵タンクに温水を貯蔵してから使用するため、使用上不便で、衛生性に劣り、維持補修が容易ではないという問題がある。
即ち、温水貯蔵タンクに貯蔵された温水を一定量取水した後には再び飲み水を加熱して温水を生成し、そのように生成された温水が温水貯蔵タンクに貯蔵されるまで長時間待たなければならないという不具合がある。
【０００４】
そして、長時間使用した場合、温水貯蔵タンクに異物質が沈殿し、温水貯蔵タンクに貯蔵された温水が変質して衛生性に劣り、前記温水貯蔵タンクに沈殿した異物質を除去するため定期的に温水貯蔵タンクを掃除しなければならないため、維持補修が容易でない。
また、凝縮器、又はヒーターの加熱熱容量と伝熱面積の限界のため、高温の温水を生成するためには補助熱源がさらに必要であるという短所がある。
【０００５】
そこで、本発明の目的は、温水供給管内にヒーターとの伝熱面積を極大化させた熱交換部を形成することで、より迅速に温水を供給する温水加熱装置を提供することにある。
本発明の他の目的として、温水供給管に生成された温水を取水することで、異物質の沈殿を防止して衛生性を向上させると共に、維持補修が容易な温水加熱装置を提供する。
本発明のまた他の目的として、ヒーターとの伝熱面積を極大化させた熱交換部によって温水を生成することで、補助熱源をさらに設置する必要がない温水加熱装置を提供する。
【０００６】
【課題を解決するための手段】
上記目的を達成するための本発明の第１実施形態によれば、胴体を形成するケースと、前記ケースの内部に設けられる熱交換部を有する温水供給管と、前記ケースの内部に収容される蓄熱液と、前記ケースの内部に設けられ、前記蓄熱液を加熱するヒーターとを含めて構成されることを特徴とする温水加熱装置を提供する。
【０００７】
そして、前記熱交換部は熱伝達面積を極大化させた形状であって、前記熱交換部はコイル状である。この際、前記熱交換部のコイル形状は螺旋形であり、前記熱交換部のコイル状の各ターンの間が離隔するように形成されることが好ましい。
【０００８】
そして、前記蓄熱液は水、又はパラフィンのように比熱の高い物質からなることがさらに好ましい。
【０００９】
また、前記ケースは中の空いた円筒状であることが好ましく、この際、前記ケースは腐食防止、及び耐熱性の向上のためにその内部面がセラミックコーティングされ、外部への熱放出を防止するために、その外部面がガラス繊維、又は合成樹脂などの断熱素材で被覆されることが好ましい。
【００１０】
そして、前記温水供給管は腐食防止及び、ヒーターからの熱伝導度を高めるために銅管、又はステンレス管で形成されることがさらに好ましい。
【００１１】
また、前記ヒーターは前記ケースの内部に設けられ、前記熱交換部の長さ方向に設けられる。
この際、前記ヒーターは前記ケースの中心軸と前記熱交換部との間に形成される空間部に設けられることが好ましく、シーズ式のものを使用することがさらに好ましい。
【００１２】
そして、前記ケースの内部に設けられ、前記蓄熱液の温度を感知する温度感知センサーと、該温度感知センサーで検出された温度にしたがってヒーターのオン／オフを制御するマイコンとをさらに含めて構成されることもある。
【００１３】
一方、本発明の第２形態によれば、外形を形成する本体と、外部の水道管と連結されるように前記本体の内部に設けられる吸水管と、前記吸水管から分岐し、その一部に熱交換部を有する温水供給管と、前記吸水管から分岐した冷水供給管と、前記温水供給管の熱交換部を囲むように設けられるケースと、前記ケースの内部に収容される蓄熱液と、前記ケースの内部に設けられ、前記蓄熱液を加熱するヒーターとを含めて構成されることを特徴とする冷蔵庫を提供する。
【００１４】
【発明の実施の形態】
以下、本発明の好ましい実施形態を添付の図面に基づいて詳細に説明する。
【００１５】
図１に示すように、本発明の実施形態による温水供給のための温水加熱装置１００が備えられた冷蔵庫は、外形を形成する本体１と、その本体１の前面に形成されたドア２と、外部水道管（図示せず）と連結されるように前記本体１の内部に設けられる給水管１０と、該給水管１０から分岐し、その一部に熱交換部を有する温水供給管４０と、前記給水管１０から分岐した冷水供給管５０とを含めて構成される。
【００１６】
そして、前記給水管１０に外部水道管から給水される飲み水の異物質を濾すフィルター２０が設けられ、前記給水管１０から温水供給管４０と冷水供給管５０とに分岐される給水管１０の分岐部分には飲み水の流動方向を制御する三方弁３０が設けられる。
また、前記温水供給管４０の先端には温水供給操作レバー６５の作動で温水が供給される温水供給部６０が設けられ、前記冷水供給管５０の先端には冷水供給操作レバー７５の作動で冷水が供給される冷水供給部７０が設けられる。
【００１７】
一方、図２に示すように、前記温水供給管４０上には温水加熱装置１００が構成されるが、前記温水加熱装置１００は前記温水供給管４０の一部をコイル状にして伝熱面積を極大化させた熱交換部４０ａと、その熱交換部４０ａを囲むように設けられるケース１１０と、該ケース１１０の内部に収容される蓄熱液１２０と、前記ケース１１０の内部に設けられ、前記蓄熱液１２０を加熱するヒーター１３０とを含めてなる。
【００１８】
この際、前記ケース１１０の内部に前記蓄熱液１２０の温度を感知する温度感知センサー１４０を設置し、前記温度感知センサー１４０で検出された温度にしたがって前記ヒーター１３０のオン／オフを制御するマイコン（図示せず）を冷蔵庫の本体１内に設置することで、蓄熱液１２０の温度をさらに容易に調節することができる。
【００１９】
一方、前記熱交換部４０ａは螺旋形を有し、その熱交換部４０ａのコイル状の各ターンの間が離隔するように形成することが好ましい。
そして、前記蓄熱液１２０は水、又はパラフィンのように比熱の高い物質であることがさらに好ましい。
【００２０】
また、前記ケース１１０は中の空いた円筒形状に図示されているが、これに限定されず、冷蔵庫の本体１の内部空間と熱交換部４０ａの縦方向の長さ、及び巻き形状にしたがって適切に大きさや形態を変化させえる。
この際、前記ケース１１０は腐食防止、及び耐熱性の向上のためにその内部面がセラミックコーティングされ、外部への熱放出を防止するためにその外部面がガラス繊維、又は合成樹脂などの断熱素材で被覆されることが好ましい。
【００２１】
そして、前記温水供給管４０は腐食防止、及びヒーター１３０からの熱伝導度を高めるために、銅管、又はステンレス管で形成することがさらに好ましい。
また、前記ヒーター１３０は前記ケース１１０の内部に設置するが、前記熱交換部４０ａの内側に形成された空間部に縦方向に設置することが好ましく、シーズ式のものを使用することがさらに好ましい。
【００２２】
以下、上記のように構成された本発明の実施形態による温水加熱装置１００が備えられた冷蔵庫の温水供給過程を説明する。
【００２３】
まず、温水供給機能が作動しない待機状態の温水生成過程を説明する。
温水待機状態で飲み水は外部の水道管から給水管１０に給水され、フィルター２０によって異物質が濾され、三方弁３０を通じて温水供給管４０に給水される。すると、マイコンはヒーター１３０を発熱させ、蓄熱液１２０を加熱し、その加熱された蓄熱液１２０は前記熱交換部４０ａを加熱する。
この際、前記温水供給管４０に給水された飲み水は前記熱交換部４０ａを経て迅速に加熱される。
【００２４】
そして、温度感知センサー１４０は前記蓄熱液１２０の温度を随時に感知するが、この際、マイコンは蓄熱液１２０の実際温度と設定温度とを比較して判断する。
その判断の結果、蓄熱液１２０の実際温度が設定温度より高いとヒーター１３０の作動を停止し、蓄熱液１２０の実際温度が設定温度より低いとヒーター１３０を再び作動させる過程を繰り返すことで、前記熱交換部４０ａに収容された温水が常に設定温度を維持するようにする。
【００２５】
次に、上記のように生成された温水の実際の供給過程を説明する。
【００２６】
上記のように温水待機状態でユーザーが冷蔵庫のドア２の前面側に備えられた温水供給部６０の温水供給操作レバー６５を作動すると、前記熱交換部４０ａに収容されていた温水がより迅速に温水供給部６０を介してユーザーに供給される。
【００２７】
そして、温水供給部６０を介して供給された温水量だけさらに温水供給管４０に給水された飲み水は前記熱交換部４０ａを経て再び迅速に加熱されることで、ユーザーは迅速に所望の量だけ温水を取水することができる。
即ち、前記温水供給管４０に伝熱面積を極大化させた熱交換部４０ａを形成することで、前記熱交換部４０ａを経た飲み水は蓄熱液１２０との熱交換によって迅速に加熱され、ユーザーに供給される。
【００２８】
一方、前記温度感知センサー１４０を設置せず、前記ヒーター１３０を一定の時間間隔でオン／オフにすることで温水を生成してユーザーに供給することもできる。
即ち、前記ヒーター１３０を一定の時間の間オンにし、蓄熱液１２０によって熱交換部４０ａを加熱して温水を生成し、温水を生成した後には一定の時間の間オフにする過程を繰り返すことで、ユーザーに温水を供給できる。
この際、前記ヒーター１３０のオン／オフ時間を調節することでより効率よく温水を生成してユーザーに供給することもできる。
【００２９】
一方、参考までに、冷水供給時に飲み水は冷水供給管５０にも給水され、蒸発器（図示せず）側に分岐した冷水供給管５０を経て低温の冷水となり、冷水供給管５０に収容される。
したがって、ユーザーが冷蔵庫のドア２の前面側に備えられた冷水供給部７０の冷水供給操作レバー７５を作動させると、冷水供給管５０に収容されていた冷水が迅速に冷水供給部７０を介してユーザーに供給される。
そして、供給された冷水量だけさらに冷水供給管５０に給水された飲み水は、蒸発器側に分岐した冷水供給管５０を経て低温の冷水となることで、ユーザーは所望の量だけ冷水を取水することができる。
【００３０】
【発明の効果】
以上説明したように、本発明によれば、温水供給管にヒーターとの伝熱面積を極大化させた熱交換部を含めて構成された温水加熱装置で給水された飲み水が迅速に加熱されることで、ユーザーが迅速に所望の量だけ温水を取水することができる。
そして、別途の貯蔵タンクを設置せずとも温水を生成して供給できるので、異物質が沈殿せず、水質が変質するおそれがない。
したがって、ユーザーにきれいな温水を供給して衛生性を向上させることができ、異物質を除去する必要がなく維持補修が容易に行える。
また、ヒーターとの伝熱面積を極大化させた熱交換部で温水を生成することで、補助熱源をさらに設置せずにも高温水を供給することができる。
【図面の簡単な説明】
【図１】本発明の一実施形態による温水加熱装置が備えられた冷蔵庫を概略的に示す構成図である。
【図２】本発明の一実施形態による温水加熱装置を概略的に示す構成図である。
【符号の説明】
１…本体
２…ドア
１０…給水管
２０…フィルター
３０…三方弁
４０…温水供給管
５０…冷水供給管
６０…温水供給部
６５…温水供給操作レバー
７０…冷水供給部
７５…冷水供給操作レバー
１００…温水加熱装置
４０ａ…熱交換部
１１０…ケース
１２０…蓄熱液
１３０…ヒーター
１４０…温度感知センサー
【図１】
2004309107.tif 000003
【図２】
2004309107.tif 000004